(57)【特許請求の範囲】
【請求項１】
定着液を内部に収容する収容部、および、前記収容部に連通し、記録シート上の現像剤像に向けて定着液を噴霧するノズルを有する定着ヘッドと、
前記ノズル内の定着液と、前記ノズルから離れた位置で搬送される記録シートとの間に電位差を形成するための電位差形成部と、
定着液に圧力を加える圧力付与手段と、
前記電位差形成部に印加する電圧と前記定着液に加える圧力とを制御する制御部と、を備え、
前記制御部は、
前記圧力付与手段が前記定着液に加える圧力を第１圧力とし、前記電位差形成部に電圧を印加することで、前記ノズルから前記記録シートに向けて定着液の噴霧を行う定着噴霧処理と、
前記定着噴霧処理を実行していないときに、前記圧力付与手段が前記定着液に加える圧力を前記第１圧力よりも小さな第２圧力にした状態で、前記電位差形成部に電圧を印加する液滴除去処理と、を行うことを特徴とする定着装置。
【請求項２】
前記制御部は、前記定着噴霧処理を行う前に前記液滴除去処理を行うことを特徴とする請求項１に記載の定着装置。
【請求項３】
前記第２圧力は、メニスカス耐圧以下であることを特徴とする請求項２に記載の定着装置。
【請求項４】
前記制御部は、前記液滴除去処理において、電圧印加を第１時間の間行うことを特徴とする請求項２または請求項３に記載の定着装置。
【請求項５】
前記制御部は、前記液滴除去処理において電圧印加を前記第１時間行った後、圧力を前記第２圧力から前記第１圧力に変更して前記定着噴霧処理を開始することを特徴とする請求項２から請求項４のいずれか１項に記載の定着装置。
【請求項６】
前記制御部は、前記液滴除去処理において前記電位差形成部に電流が流れていない状態が第２時間続いた場合に、圧力を前記第２圧力から前記第１圧力に変更して前記定着噴霧処理を開始することを特徴とする請求項２または請求項３に記載の定着装置。
【請求項７】
前記制御部は、印刷ジョブの入力に基づいて、前記液滴除去処理を行うことを特徴とする請求項２から請求項６のいずれか１項に記載の定着装置。
【請求項８】
前記制御部は、前回の定着噴霧処理の終了から第３時間以上経過した場合には、前記液滴除去処理を行わないことを特徴とする請求項２から請求項７のいずれか１項に記載の定着装置。
【請求項９】
前記液滴除去処理において前記電位差形成部に印加する電圧は、定着噴霧処理時の電圧値の範囲内であることを特徴とする請求項１から請求項８のいずれか１項に記載の定着装置。
【請求項１０】
前記制御部は、圧力によって前記ノズルから定着液を外部に排出させるパージ処理を行った場合に、前記液滴除去処理を行うことを特徴とする請求項１から請求項９のいずれか１項に記載の定着装置。
【請求項１１】
前記圧力付与手段は、前記定着ヘッド内の気体を加圧するポンプを有することを特徴とする請求項１から請求項１０のいずれか１項に記載の定着装置。
【請求項１２】
前記電位差形成部は、前記定着液に接触する第１電極と、前記ノズルと向かい合う第２電極とを有することを特徴とする請求項１から請求項１１のいずれか１項に記載の定着装置。
【発明の詳細な説明】
【技術分野】
【０００１】
本発明は、用紙上にトナー像を定着させる定着装置に関する。
【背景技術】
【０００２】
従来、電子写真方式の画像形成装置において、転写されたトナー像を加熱によりトナーを溶融させ用紙にトナーを定着させる定着装置を備えたものが知られている。定着装置は、トナーを溶融するためにハロゲンヒータやセラミックヒータ等の発熱体を有する。溶融されたトナーは、用紙に対して加圧され用紙上に定着される。このような定着装置は、定着速度が速く、画像品質が良いことから広く普及している。しかしながら、このような熱定着方式の定着装置を用いる画像形成装置は、トナーを加熱することから多量の電力を消費するため画像形成装置の省電力には向かなかった。
【０００３】
上記のような課題に対し、トナーを溶解または膨潤させる定着液を用紙上のトナーに付与して、トナー像を用紙上に定着する定着装置を備えた画像形成装置がある。この定着装置は、熱定着方式のようなトナーを溶融させるための加熱処理が不要であり、消費電力が低く、省電力化に優れている。定着液をトナー像に塗布する方法としては、静電噴霧によって定着液をトナー像に塗布する方法が知られている（特許文献１参照）。
【先行技術文献】
【特許文献】
【０００４】
【特許文献１】特開２００９−６９２５６号公報
【発明の概要】
【発明が解決しようとする課題】
【０００５】
ところで、静電噴霧による定着方式において、定着液を噴霧するノズルからの定着液の噴霧を停止したときに、定着液がノズルの外周面に付着して残留すると、次回の噴霧開始時に正常な噴霧を行うことができない場合がある。
【０００６】
そこで、本発明は、定着液を噴霧するノズルの外周面に付着した定着液を除去することを目的とする。
【課題を解決するための手段】
【０００７】
前記課題を解決するため、本発明に係る定着装置は、定着液を内部に収容する収容部、および、前記収容部に連通し、記録シート上の現像剤像に向けて定着液を噴霧するノズルを有する定着ヘッドと、前記ノズル内の定着液と、前記ノズルから離れた位置で搬送される記録シートとの間に電位差を形成するための電位差形成部と、定着液に圧力を加える圧力付与手段と、前記電位差形成部に印加する電圧と前記定着液に加える圧力とを制御する制御部と、を備える。
前記制御部は、前記圧力付与手段が前記定着液に加える圧力を第１圧力とし、前記電位差形成部に電圧を印加することで、前記ノズルから前記記録シートに向けて定着液の噴霧を行う定着噴霧処理と、前記定着噴霧処理を実行していないときに、前記圧力付与手段が前記定着液に加える圧力を前記第１圧力よりも小さな第２圧力にした状態で、前記電位差形成部に電圧を印加する液滴除去処理と、を行う。
【０００８】
この構成によれば、ノズルの外周面に定着液が付着した場合であっても、液滴除去処理を実行することで、ノズルの外周面に付着した定着液を取り除くことができるので、噴霧を開始する際に、迅速に安定した噴霧状態とすることができる。
【０００９】
また、前記した構成において、前記制御部は、前記定着噴霧処理を行う前に前記液滴除去処理を行うように構成されていてもよい。
【００１０】
また、前記した構成において、前記第２圧力は、メニスカス耐圧以下であってもよい。
【００１１】
また、前記した構成において、前記制御部は、前記液滴除去処理において、電圧印加を第１時間の間行うように構成されていてもよい。
【００１２】
また、前記した構成において、前記制御部は、前記液滴除去処理において電圧印加を前記第１時間行った後、圧力を前記第２圧力から前記第１圧力に変更して前記定着噴霧処理を開始するように構成されていてもよい。
【００１３】
また、前記した構成において、前記制御部は、前記液滴除去処理において前記電位差形成部に電流が流れていない状態が第２時間続いた場合に、圧力を前記第２圧力から前記第１圧力に変更して前記定着噴霧処理を開始するように構成されていてもよい。
【００１４】
また、前記した構成において、前記制御部は、印刷ジョブの入力に基づいて、前記液滴除去処理を行うように構成されていてもよい。
【００１５】
また、前記した構成において、前記制御部は、前回の定着噴霧処理の終了から第３時間以上経過した場合には、前記液滴除去処理を行わないように構成されていてもよい。
【００１６】
ここで、「第３時間」は、ノズルの外周面に付着した定着液を蒸発させるための十分長い時間をいう。
【００１７】
これによれば、前回の定着噴霧処理の終了から第３時間以上が経過した場合には、ノズル外周面に付着した定着液が蒸発してなくなるため、この場合に、液滴除去処理を行わないことで、電力消費を抑えることができる。
【００１８】
また、前記液滴除去処理において前記電位差形成部に印加する電圧は、定着噴霧処理時の電圧値の範囲内であってもよい。
【００１９】
また、前記した構成において、前記制御部は、圧力によって前記ノズルから定着液を外部に排出させるパージ処理を行った場合に、前記液滴除去処理を行うように構成されていてもよい。
【００２０】
これによれば、パージ処理においてノズル外周面に付着した定着液を、液滴除去処理によって良好に除去することができる。
【００２１】
また、前記した構成において、前記圧力付与手段は、前記定着ヘッド内の気体を加圧するポンプを有していてもよい。
【００２２】
また、前記した構成において、前記電位差形成部は、前記定着液に接触する第１電極と、前記ノズルと向かい合う第２電極とを有していてもよい。
【発明の効果】
【００２３】
本発明によれば、定着液を噴霧するノズルの外周面に付着した定着液を除去することができる。
【図面の簡単な説明】
【００２４】
【図１】本発明の一実施形態に係る定着装置を備えたレーザプリンタを示す図である。
【図２】定着装置を詳細に示す図である。
【図３】定着ヘッドを、斜め上方から見た斜視図（ａ）と、第１定着ヘッドを斜め下方から見た斜視図（ｂ）である。
【図４】定着ヘッドを下方から見た下面図である。
【図５】制御部の動作を示すフローチャートである。
【図６】ノズルの外周面に付着した定着液が除去される様子を示す図（ａ）〜（ｃ）である。
【図７】変形例に係る制御部の動作を示すフローチャートである。
【発明を実施するための形態】
【００２５】
次に、本発明の実施形態について、適宜図面を参照しながら詳細に説明する。なお、以下の説明においては、まず、レーザプリンタの全体構成を説明した後、本発明の特徴部分を詳細に説明することとする。
【００２６】
以下の説明において、方向は、図１に示す方向で説明する。すなわち、図１において、紙面に向かって右側を「前側」、紙面に向かって左側を「後側」とし、紙面に向かって奥側を「右側」、紙面に向かって手前側を「左側」とする。また、紙面に向かって上下方向を「上下方向」とする。
【００２７】
図１に示すように、レーザプリンタ１は、本体筐体２と、記録シートの一例としての用紙ＳＨを給紙するためのフィーダ部３と、用紙ＳＨに画像を形成するための画像形成部４とを備えている。
【００２８】
フィーダ部３は、本体筐体２の下部に着脱可能に装着される給紙トレイ３１と、給紙トレイ３１内の用紙ＳＨを画像形成部４に向けて給紙する給紙機構３２とを備えている。給紙機構３２は、給紙ローラ３２Ａと、分離ローラ３２Ｂと、分離パッド３２Ｃと、紙粉取りローラ３２Ｄと、レジストローラ３２Ｅとを備えている。レジストローラ３２Ｅは、用紙ＳＨの先端位置を揃えるローラであり、後述する制御部１００によって適宜停止・回転が切り替えられるようになっている。
【００２９】
画像形成部４は、本体筐体２内に収容されており、主に、スキャナユニット５と、プロセスカートリッジ６と、転写ローラＴＲと、定着装置７とを備えている。
【００３０】
スキャナユニット５は、本体筐体２内の上部に設けられ、図示しないレーザ発光部、ポリゴンミラー、レンズおよび反射鏡などを備えている。このスキャナユニット５では、レーザビームを、後述する感光ドラム６１の表面上に高速走査にて照射する。
【００３１】
プロセスカートリッジ６は、本体筐体２に着脱可能となっている。プロセスカートリッジ６は、静電潜像が形成される感光ドラム６１と、図示しない帯電器と、現像剤の一例としてのトナーを収容するトナー収容部６２と、トナー収容部６２内のトナーを感光ドラム６１に供給する供給ローラ６３および現像ローラ６４を備えている。
【００３２】
このプロセスカートリッジ６では、図示せぬ帯電器が、回転する感光ドラム６１の表面を一様に帯電する。スキャナユニット５は、感光ドラム６１の表面にレーザビームを出射して、感光ドラム６１の表面を露光することで、感光ドラム６１の表面に画像データに基づく静電潜像を形成する。
【００３３】
次いで、回転駆動される現像ローラ６４が、感光ドラム６１の静電潜像にトナーを供給して、感光ドラム６１の表面上にトナー像を形成する。その後、感光ドラム６１の表面上に担持されたトナー像は、用紙ＳＨが感光ドラム６１と転写ローラＴＲの間で搬送される際に、転写ローラＴＲに引き寄せられて用紙ＳＨ上に転写する。
【００３４】
定着装置７は、帯電された定着液Ｌを静電噴霧により用紙ＳＨ上のトナー像に供給することで、用紙ＳＨ上にトナー像を定着させる装置である。なお、定着装置７の構成については、後で詳述する。
【００３５】
定着装置７の下流側には、定着装置７から排出された用紙ＳＨを挟持して下流側に搬送するための一対の下流側搬送ローラＲｄが設けられている。下流側搬送ローラＲｄによって搬送された用紙ＳＨは、排紙ローラＲに搬送され、この排紙ローラＲから排紙トレイ２１上に排出される。
【００３６】
次に、定着装置７の構成について詳細に説明する。
図２に示すように、定着装置７は、用紙ＳＨ上のトナー像に向けて定着液Ｌを噴霧するための定着ヘッド７１と、定着ヘッド７１の下で用紙ＳＨを支持する第２電極７２と、圧力付与手段の一例としての加圧装置７５と、定着液カートリッジ７６と、タンク７７と、制御部１００とを備えている。
【００３７】
定着液Ｌは、良好に静電噴霧を行い、かつ、定着を行うために、トナーを溶解させる溶質を誘電率の高い溶媒に分散させたもの使用することが出来る。誘電率の高い溶媒として、安全な水を用いることができる。つまり、本実施形態では、トナーを溶解させる溶質を水に分散するタイプ、いわゆる、水中油滴型のエマルジョンでトナーの溶解を行っている。つまり、溶媒としての水に対して不溶または難溶な溶質を水に分散した定着液を用いている。溶質としては、脂肪族モノカルボン酸エステル系として、ラウリン酸エチル、ラウリン酸ブチル、ラウリン酸イソプロピル、ミリスチン酸エチル、ミリスチン酸ブチル、ミリスチン酸イソプロピル、パルミチン酸エチル、パルミチン酸ブチル、パルミチン酸イソプロピル、脂肪族ジカルボン酸エステル系として、コハク酸ジエチル、コハク酸ジブチル、脂肪族トリカルボン酸エステル系として、oアセチルクエン酸トリエチル、oアセチルクエン酸トリブチル、脂肪族ジカルボン酸ジアルコキシアルキル系としてコハク酸ジエトキシエチル、コハク酸ジブトキシエチル、炭酸エステル系として炭酸エチレン、炭酸プロピレンを使用することができる。これらの溶質はトナーを軟化させる機能を有する。
また、エマルジョンを良好に形成するために界面活性剤を加えても良く、界面活性剤としては、アニオン系界面活性剤、カチオン系界面活性剤、ノニオン系界面活性剤を使用することができる。アニオン系界面活性剤としては、ラウリン酸ナトリウムなどの高級脂肪酸塩類、ドデシルベンゼンスルホン酸ナトリウムなどのアルキルアリールスルホン酸塩類、ドデシル硫酸ナトリウムなどのアルキル硫酸エステル塩類、ポリエトキシエチレンラウリルエーテル硫酸ナトリウムなどのポリオキシエチレンアルキルエーテル硫酸エステル塩類、ポリオキシエチレンノニルフェニルエーテル硫酸ナトリウムなどのポリオキシエチレンアルキルアリールエーテル硫酸エステル塩類を使用することができる。カチオン系界面活性剤としては、脂肪族アミン塩、脂肪族４級アンモニウム塩、ベンザルコニウム塩、塩化ベンゼトニウム、ピリジニウム塩、イミダゾリニウム塩を使用することができる。ノニオン系界面活性剤としては、ポリオキシエチレンラウリルエーテルなどのポリオキシエチレンアルキルエーテル類、ポリオキシエチレンノニルフェニルエーテルなどのポリオキシエチレンアルキルフェニルエーテル類、ソルビタンモノラウレートなどのソルビタン高級脂肪酸エステル類、ポリオキシエチレンソルビタンモノラウレートなどのポリオキシエチレンソルビタン高級脂肪酸エステル類、ポリオキシエチレンモノラウレートなどのポリオキシエチレン高級脂肪酸エステル類、ショ糖ラウリン酸エステルなどのショ糖脂肪酸エステル類を使用することができる。
【００３８】
定着ヘッド７１は、図３（ａ）に示すように、幅方向に千鳥状に並ぶ、第１定着ヘッド７１Ａ、第２定着ヘッド７１Ｂ、第３定着ヘッド７１Ｃ、第４定着ヘッド７１Ｄおよび第５定着ヘッド７１Ｅを有している。第１定着ヘッド７１Ａ、第３定着ヘッド７１Ｃおよび第５定着ヘッド７１Ｅは、前後方向、つまり用紙ＳＨの搬送方向において略同じ位置に配置され、左右方向、つまり用紙ＳＨの幅方向において間隔を空けて配置されている。第２定着ヘッド７１Ｂは、搬送方向において第１定着ヘッド７１Ａおよび第３定着ヘッド７１Ｃの上流側に配置され、幅方向における中央部が幅方向において第１定着ヘッド７１Ａと第３定着ヘッド７１Ｃとの間に配置されている。第４定着ヘッド７１Ｄは、搬送方向において第３定着ヘッド７１Ｃおよび第５定着ヘッド７１Ｅの上流側に配置され、幅方向における中央部が幅方向において第３定着ヘッド７１Ｃと第５定着ヘッド７１Ｅとの間に配置されている。
【００３９】
第１定着ヘッド７１Ａは、定着液Ｌを内部に収容する収容部７３と、収容部７３に連通し、トナー像に向けて定着液Ｌを噴霧する複数のノズルＮと、収容部７３内および各ノズルＮ内の定着液Ｌに電圧を印加する第１電極７４と、を備えている。なお、その他の定着ヘッド７１Ｂ〜７１Ｅは、第１定着ヘッド７１Ａと略同様の構成となっているため、その他の定着ヘッド７１Ｂ〜７１Ｅを構成する部材には第１定着ヘッド７１Ａを構成する部材と同一の符号を付し、説明を適宜省略する。つまり、各定着ヘッド７１Ａ〜７１Ｅ（各収容部７３）は、同一形状であり、それぞれ別体に構成されている。また、各収容部７３には、それぞれ同じ数のノズルＮが同じ配置で設けられている。
【００４０】
収容部７３は、幅方向に長尺となる矩形の絶縁性の容器であり、上壁７３Ａ、前壁７３Ｂ、後壁７３Ｃ、左壁７３Ｄ、右壁７３Ｅおよび下壁７３Ｆを有している。図３（ｂ）に示すように、各定着ヘッド７１Ａ〜７１Ｅにおける複数のノズルＮは、それぞれ収容部７３の下壁７３Ｆから下方に向けて突出しており、下方に向かう程、徐々に縮径している。複数のノズルＮは、幅方向に複数配列されるとともに、搬送方向に複数配列されている。
【００４１】
詳しくは、複数のノズルＮは、搬送方向に並ぶ第１千鳥配列群Ｕ１および第２千鳥配列群Ｕ２を構成している。図４に示すように、第１千鳥配列群Ｕ１は、幅方向に一定の間隔を空けて配列される複数の第１ノズルＮ１と、幅方向に一定の間隔を空けて配列される複数の第２ノズルＮ２とからなり、幅方向の一方側から他方側に向けて、第１ノズルＮ１と第２ノズルＮ２とが搬送方向の一方側と他方側に交互に配置されている。
【００４２】
また、各第２ノズルＮ２は、幅方向において２つの第１ノズルＮ１の間に配置されている。そして、幅方向で隣り合う２つの第１ノズルＮ１と、これら２つの第１ノズルＮ１の間に配置される第２ノズルＮ２とを結んだ形状は、正三角形または二等辺三角形となっている。また、幅方向で隣り合う２つの第２ノズルＮ２と、これら２つの第２ノズルＮ２の間に配置される第１ノズルＮ１とを結んだ形状も、正三角形または二等辺三角形となっている。
【００４３】
第２千鳥配列群Ｕ２は、第１千鳥配列群Ｕ１と同じ構造となっている。本実施形態においてノズルピッチ（隣接するノズルの外径間の最短距離）は、１ｍｍ以上、１４ｍｍ以下の範囲で設定すればよい。
【００４４】
また、幅方向で隣接する２つの定着ヘッド（例えば第１定着ヘッド７１Ａと第２定着ヘッド７１Ｂ）は、搬送方向から見て各収容部７３が重なるように配置されている。具体的には、所定の定着ヘッド（例えば第１定着ヘッド７１Ａ）における複数のノズルＮの幅方向における最小ピッチ（例えば、第１ノズルＮ１と第２ノズルＮ２間のピッチ）は、Ｄａとなっている。これに対し、所定の定着ヘッドの幅方向の最も一方側のノズルＮ（例えば第１定着ヘッド７１Ａの最も図示左側の第１ノズルＮ１）から当該所定の定着ヘッドの一方側に隣接する定着ヘッド（例えば第２定着ヘッド７１Ｂ）の幅方向の最も他方側のノズルＮ（例えば第２定着ヘッド７１Ｂの最も図示右側の第１ノズルＮ１）までの距離Ｄｂが、最小ピッチＤａよりも小さくなっている。
【００４５】
つまり、定着ヘッド７１Ａ〜７１Ｅごとに設定される各定着領域Ａ１〜Ａ５（各定着ヘッド７１Ａ〜７１Ｅの各ノズルＮによって用紙ＳＨに対して定着液Ｌが噴霧される領域）が、搬送方向から見て重なるように、各定着ヘッド７１Ａ〜７１Ｅが配置されている。なお、本実施形態では、各定着ヘッド７１Ａ〜７１Ｅの各定着領域Ａ１〜Ａ５を、便宜上、各収容部７３の下面と同じ形状・大きさ・位置として説明する。
【００４６】
より詳しくは、第１定着ヘッド７１Ａから定着液Ｌが噴霧される領域である第１定着領域Ａ１は、第２定着ヘッド７１Ｂから定着液Ｌが噴霧される領域である第２定着領域Ａ２に搬送方向から見て重なっている。第５定着ヘッド７１Ｅから定着液Ｌが噴霧される領域である第５定着領域Ａ５は、第４定着ヘッド７１Ｄから定着液Ｌが噴霧される領域である第４定着領域Ａ４に搬送方向から見て重なっている。
【００４７】
第３定着ヘッド７１Ｃから定着液Ｌが噴霧される領域である第３定着領域Ａ３は、第２定着領域Ａ２および第４定着領域Ａ４に搬送方向から見て重なっている。このように各定着ヘッド７１Ａ〜７１Ｅが配置されることで、各定着ヘッド７１Ａ〜７１Ｅの間に、定着液Ｌが噴霧されない領域が生じるのを抑えることが可能となっている。
【００４８】
第１定着ヘッド７１Ａは、レーザプリンタ１で印刷を行うことが可能な複数種類の用紙ＳＨのうち最も幅狭の第１用紙ＳＨ１に対して定着液Ｌを噴霧するためのヘッドであり、第１用紙ＳＨ１の幅よりも小さな幅で形成されている。第１定着ヘッド７１Ａは、第１用紙ＳＨ１の左右両端よりも左右方向内側に配置されている。詳しくは、第１定着ヘッド７１Ａの第１定着領域Ａ１が、第１用紙ＳＨ１の画像が形成される領域である画像形成領域の幅以上の幅となるような大きさに形成され、第１定着領域Ａ１の幅内に画像形成領域の全幅が入るように配置されている。
【００４９】
なお、本実施形態では、図４に示すように、用紙幅の異なる用紙ＳＨ１〜ＳＨ５は、左側の端部を基準として搬送されるようになっている。詳しくは、本体筐体２内には、各用紙ＳＨ１〜ＳＨ５の左側の端部に接触して当該左端部をガイドする図示せぬガイド部材が設けられている。
【００５０】
第２定着ヘッド７１Ｂは、第１定着ヘッド７１Ａに対して右側（幅方向の一方側）に隣接しており、第１用紙ＳＨ１よりも幅広の第２用紙ＳＨ２の右側の端部よりも左側（他方側）に配置されている。詳しくは、第２定着ヘッド７１Ｂの第２定着領域Ａ２の右側端部が、第２用紙ＳＨ２の画像形成領域の右側端部と同じ位置もしくは右側端部よりも右側の位置に配置されている。なお、第２用紙ＳＨ２の画像形成領域の左側端部は、第１用紙ＳＨ１の画像形成領域の左側端部と略同じ位置となっている。以上のように、第１定着ヘッド７１Ａおよび第２定着ヘッド７１Ｂが配置されることで、第１定着ヘッド７１Ａおよび第２定着ヘッド７１Ｂは、第２用紙ＳＨ２の画像形成領域に対して定着液Ｌを噴霧可能となっている。
【００５１】
第３定着ヘッド７１Ｃは、第２定着ヘッド７１Ｂに対して右側に隣接しており、第２用紙ＳＨ２よりも幅広の第３用紙ＳＨ３の右側の端部よりも左側に配置されている。詳しくは、第３定着ヘッド７１Ｃの第３定着領域Ａ３の右側端部が、第３用紙ＳＨ３の画像形成領域の右側端部と同じ位置もしくは右側端部よりも右側の位置に配置されている。なお、第３用紙ＳＨ３の画像形成領域の左側端部は、第１用紙ＳＨ１の画像形成領域の左側端部と略同じ位置となっている。以上のように、第１定着ヘッド７１Ａ、第２定着ヘッド７１Ｂおよび第３定着ヘッド７１Ｃが配置されることで、第１定着ヘッド７１Ａ、第２定着ヘッド７１Ｂおよび第３定着ヘッド７１Ｃは、第３用紙ＳＨ３の画像形成領域に対して定着液Ｌを噴霧可能となっている。
【００５２】
第４定着ヘッド７１Ｄは、第３定着ヘッド７１Ｃに対して右側に隣接しており、第３用紙ＳＨ３よりも幅広の第４用紙ＳＨ４の右側の端部よりも左側に配置されている。詳しくは、第４定着ヘッド７１Ｄの第４定着領域Ａ４の右側端部が、第４用紙ＳＨ４の画像形成領域の右側端部と同じ位置もしくは右側端部よりも右側の位置に配置されている。なお、第４用紙ＳＨ４の画像形成領域の左側端部は、第１用紙ＳＨ１の画像形成領域の左側端部と略同じ位置となっている。以上のように、各定着ヘッド７１Ａ〜７１Ｄが配置されることで、各定着ヘッド７１Ａ〜７１Ｄは、第４用紙ＳＨ４の画像形成領域に対して定着液Ｌを噴霧可能となっている。
【００５３】
第５定着ヘッド７１Ｅは、第４定着ヘッド７１Ｄに対して右側に隣接しており、第４用紙ＳＨ４よりも幅広の第５用紙ＳＨ５の右側の端部よりも左側に配置されている。詳しくは、第５定着ヘッド７１Ｅの第５定着領域Ａ５の右側端部が、第５用紙ＳＨ５の画像形成領域の右側端部と同じ位置もしくは右側端部よりも右側の位置に配置されている。なお、第５用紙ＳＨ５の画像形成領域の左側端部は、第１用紙ＳＨ１の画像形成領域の左側端部と略同じ位置となっている。以上のように、各定着ヘッド７１Ａ〜７１Ｅが配置されることで、各定着ヘッド７１Ａ〜７１Ｅは、第５用紙ＳＨ５の画像形成領域に対して定着液Ｌを噴霧可能となっている。
【００５４】
図２に戻って、第１電極７４は、収容部７３内の定着液Ｌに電圧を印加して各ノズルＮの先端に電界を発生させるための電極である。第１電極７４は、収容部７３の上壁７３Ａを上から下に貫通するように設けられ、下端部が収容部７３内の定着液Ｌ内に配置されて定着液Ｌに接触し、上端部が、電圧印加部１２０を有する制御部１００に接続されている。第１電極７４に印加される電圧は、１ｋＶ〜１０ｋＶであることが好ましい。
【００５５】
各定着ヘッド７１Ａ〜７１Ｅには、加圧装置７５が接続されている。加圧装置７５は、各定着ヘッド７１Ａ〜７１Ｅ内の定着液Ｌに圧力をかける装置であり、各定着ヘッド７１Ａ〜７１Ｅ内の空気を加圧するポンプ７５Ａと、各定着ヘッド７１Ａ〜７１Ｅ内から空気を逃がすことで減圧する減圧弁７５Ｂとを有している。また、各定着ヘッド７１Ａ〜７１Ｅには、各定着ヘッド７１Ａ〜７１Ｅ内の定着液Ｌの圧力を検出する圧力センサＳＰ（１つのみを代表して図示）がそれぞれ設けられている。
【００５６】
第２電極７２は、用紙ＳＨに接触して、ノズルＮ内の定着液Ｌと用紙ＳＨとの間に電位差を形成するための電極であり、各定着ヘッド７１Ａ〜７１Ｅの各ノズルＮの先端から所定距離離れるように、各定着ヘッド７１Ａ〜７１Ｅの下に配置されている。ここで、所定距離は、用紙ＳＨの厚さよりも大きな距離であり、実験やシミュレーション等によって静電噴霧を好適に行うことが可能な距離に設定されている。
【００５７】
第２電極７２は、接地されている。なお、第２電極７２は、必ずしも接地させる必要はなく、例えば第１電極７４に印加される電圧よりも小さな電圧を第２電極７２に印加してもよい。第２電極７２は、ノズルＮの先端との間で電界を形成している。
【００５８】
第１電極７４に電圧が印加されるとノズルＮの先端付近の空間に電界が形成される。第２電極７２は、定着液Ｌが加圧装置７５によってノズルＮの先端に向けて供給されているので、ノズルＮの先端の定着液Ｌとの間に電界を形成する。すると、ノズルＮの先端では、定着液Ｌが電界に引っ張られていわゆるテイラーコーンが形成される。このテイラーコーンの先端から定着液Ｌが引きちぎられることによって微細な液滴が生成される。
【００５９】
ノズルＮから噴霧された液滴状の定着液Ｌは、正に帯電している。これに対し、用紙ＳＨは実質的にゼロ電位状態になっている。このため、液滴状の定着液Ｌは、クーロン力によって用紙ＳＨに向かって飛んでゆき、用紙ＳＨ上やトナー像上に付着する。
【００６０】
第１電流センサＳＢは、第１電極７４に流れる電流を検出することで、定着液Ｌに流れる電流を間接的に検出するセンサであり、各第１電極７４に対応して設けられている。第１電流センサＳＢは、ノズルＮから用紙ＳＨに定着液Ｌが噴霧された際に第１電極７４に流れる電流を検出し、その検出値を制御部１００に出力している。ここで、第１電極７４に電圧が印加されても、ノズルＮから定着液Ｌが噴霧されていないときには、第１電極７４には電流が流れず、ノズルＮから定着液Ｌが噴霧されること、つまり帯電された定着液ＬがノズルＮから用紙ＳＨに移動することによって、第１電極７４に電流が流れるようになっている。
【００６１】
第２電流センサＳＡは、第２電極７２に流れる電流を検出するセンサである。第２電流センサＳＡは、ノズルＮから用紙ＳＨに定着液Ｌが噴霧された際に第２電極７２に流れる電流を検出し、その検出値を制御部１００に出力している。ここで、第１電極７４に電圧が印加されても、ノズルＮから定着液Ｌが噴霧されていないときには、第２電極７２には電流が流れず、ノズルＮから定着液Ｌが噴霧されること、つまり帯電された定着液ＬがノズルＮから用紙ＳＨに移動することによって、第２電極７２に電流が流れるようになっている。
【００６２】
このように構成された第１電極７４および第２電極７２は、ノズルＮ内の定着液Ｌと、ノズルＮから離れた位置で搬送される用紙ＳＨとの間に電位差を形成するための電位差形成部となっている。
【００６３】
定着液カートリッジ７６は、内部に定着液Ｌが充填されたカートリッジであり、本体筐体２に着脱可能に構成されている。定着液カートリッジ７６は、配管７６Ａを介してタンク７７に接続されている。なお、配管７６Ａに、定着液カートリッジ７６からタンク７７に定着液Ｌを供給するための液圧ポンプや、定着液Ｌの供給・停止を切り替えるための切替弁などを設けてもよい。
【００６４】
タンク７７は、本体筐体２に設けられており、複数の配管７７Ａを介して各定着ヘッド７１Ａ〜７１Ｅの収容部７３に接続されている。各配管７７Ａには、タンク７７から各定着ヘッド７１Ａ〜７１Ｅに定着液Ｌを供給するための液圧ポンプや、定着液Ｌの供給・停止を切り替えるためのバルブ７７Ｂがそれぞれ設けられている。バルブ７７Ｂは、絶縁性の部材で構成されている。
【００６５】
制御部１００は、ＲＡＭやＲＯＭなどからなる記憶部１１０、第１電極７４に電圧を印加する電圧印加部１２０、ＣＰＵ、入出力回路などを備えている。制御部１００は、外部から入力されてくる画像データや、各センサＳＰ，ＳＡ，ＳＢからの信号に基づいて、加圧装置７５の制御や第１電極７４に印加する電圧の制御を実行する機能を有している。詳しくは、制御部１００は、各定着ヘッド７１Ａ〜７１Ｅ内の定着液Ｌに印加する電圧と、各定着ヘッド７１Ａ〜７１Ｅ内の定着液Ｌに加える圧力とを、定着ヘッドごとに個別に制御するように構成されている。
【００６６】
具体的に、制御部１００は、定着ヘッド７１Ａ〜７１Ｅから用紙ＳＨに向けて定着液Ｌを噴霧して用紙ＳＨ上にトナー像を定着させる定着噴霧処理と、ノズルＮの外周面に付着した液滴を除去するための液滴除去処理と、を実行する機能を有している。制御部１００は、定着噴霧処理を行う場合には、定着液Ｌに加える圧力Ｐを第１圧力Ｐ１に設定し、定着液Ｌに加える圧力Ｐを第１圧力Ｐ１に設定し、各第１電極７４に印加する電圧Ｖを、画像データに基づいて求めた目標噴霧量ρに基づいて制御するように構成されている。ここで、目標噴霧量ρは、用紙ＳＨの単位面積当たりに噴霧する定着液Ｌの目標値であり、画像濃度が高いほど大きな噴霧量に設定される。また、第１圧力Ｐ１は、例えば実験やシミュレーション等によって適宜設定される。
【００６７】
制御部１００は、定着噴霧処理を行う前に、液滴除去処理を実行する。詳しくは、制御部１００は、印刷ジョブが入力されてから定着噴霧処理を実行するまでの間で液滴除去処理を実行する。
【００６８】
制御部１００は、液滴除去処理において、定着液Ｌに加える圧力Ｐを第１圧力Ｐ１よりも小さな第２圧力Ｐ２に設定するとともに、定着液Ｌに印加する電圧Ｖを所定電圧Ｖａに設定する。ここで、所定電圧Ｖａは、定着噴霧処理時の電圧値の範囲内の値であり、適宜実験やシミュレーション等によって決定される。なお、所定電圧Ｖａを高くするほどノズルＮの外周面に付着した定着液Ｌを飛散させることができるので、所定電圧Ｖａは、定着噴霧処理時の電圧値の範囲内のうち最大の電圧値に設定するとよい。また、第２圧力Ｐ２は、０≦Ｐ２＜Ｐ１の範囲内の値であり、メニスカス耐圧以下の圧力となるように実験やシミュレーション等により適宜決定される。
【００６９】
ここで、メニスカス耐圧とは、定着液Ｌに電圧を印加していない状態において、ノズルＮ内において定着液Ｌを保持することができる最大の圧力をいい、以下の式（１）で表される。
Ｐｍ  ＝  （４・σ・ｃｏｓθ）／ｄ  ・・・  （１）
Ｐｍ：メニスカス耐圧
σ：定着液Ｌの表面張力
θ：接触角
ｄ：ノズルＮの先端の内径（直径）
【００７０】
つまり、定着液Ｌに電圧を印加していない状態において、定着液Ｌにメニスカス耐圧よりも大きな圧力を加えると、ノズルＮの先端から定着液Ｌが漏れ出し、定着液Ｌに加える圧力をメニスカス耐圧以下とすると、ノズルＮ内に定着液Ｌが保持される。
【００７１】
制御部１００は、液滴除去処理において、所定電圧Ｖａとなる電圧Ｖを第１電極７４に第１時間Ｔ１の間印加した後、圧力Ｐを第２圧力Ｐ１から第１圧力Ｐ１に変更して定着噴霧処理を開始するように構成されている。ここで、第１時間Ｔ１は、所定電圧Ｖａの印加によってノズルＮの外周面に付着した定着液Ｌが除去されるのにかかる時間をいい、実験やシミュレーション等により適宜設定されている。
【００７２】
また、制御部１００は、印刷ジョブが入力された際に前回の定着噴霧処理の終了から第３時間Ｔ３以上経過したか否かを判断し、経過したと判断した場合には、液滴除去処理を行わないように構成されている。ここで、「第３時間Ｔ３」は、ノズルＮの外周面に付着した定着液Ｌを自然に蒸発させるための十分長い時間をいい、実験やシミュレーション等により適宜設定される。
【００７３】
なお、第３時間Ｔ３は、温度や湿度などに応じて適宜変更されてもよい。例えば、第３時間Ｔ３を、温度が高いほど短い時間に設定してもよいし、湿度が低いほど短い時間に設定してもよい。
【００７４】
また、制御部１００は、ノズルＮの先端に入っている定着液Ｌの水分が蒸発して当該定着液Ｌの粘性が高まった場合（例えば定着動作を一定時間以上行っていない場合など）には、ノズルＮの先端に詰まった定着液Ｌを圧力により外部に排出させるパージ処理を実行する機能も有している。パージ処理において、制御部１００は、例えば、定着液Ｌに電圧を印加することなく、ポンプ７５Ａの駆動によって定着ヘッド７１Ａ〜７１Ｅ内の定着液Ｌを加圧することで、ノズルＮの先端から定着液Ｌを排出させる。
【００７５】
このようなパージ処理を行った場合には、ノズルＮの外周面に定着液Ｌが付着しやすい。そのため、本実施形態では、制御部１００は、パージ処理を行った場合にも、液滴除去処理を行うように構成されている。
【００７６】
次に、制御部１００の動作について図５を参照して詳細に説明する。制御部１００は、図５に示す処理を定着ヘッド７１Ａ〜７１Ｅごとに実行する。以下においては、第１定着ヘッド７１Ａについての制御を代表して説明する。
【００７７】
図５に示すように、制御部１００は、まず、印刷ジョブが入力されたか否かを判断する（Ｓ１）。ステップＳ１において印刷ジョブが入力されたと判断した場合には（Ｙｅｓ）、制御部１００は、前回の定着噴霧処理から第３時間Ｔ３が経過しているか否かを判断する（Ｓ２）。
【００７８】
ステップＳ２において第３時間Ｔ３が経過していないと判断した場合には（Ｎｏ）、制御部１００は、定着液Ｌに加える圧力Ｐを低めの第２圧力Ｐ２に設定する（Ｓ３）。詳しくは、制御部１００は、ステップＳ３において、現状の圧力Ｐが第２圧力Ｐ２と同じ場合には、加圧装置７５を制御せずに圧力Ｐをそのまま第２圧力Ｐ２に維持する。また、制御部１００は、ステップＳ３において、現状の圧力Ｐが第２圧力Ｐ２より小さい場合には、ポンプ７５Ａを作動させて圧力Ｐを第２圧力Ｐ２まで上昇させ、現状の圧力Ｐが第２圧力Ｐ２より大きい場合には、減圧弁７５Ｂを開いて圧力Ｐを第２圧力Ｐ２まで下げた後、減圧弁７５Ｂを閉じる。
【００７９】
ステップＳ３の後、制御部１００は、所定電圧Ｖａを定着液Ｌに印加する（Ｓ４）。これにより、液滴除去処理が開始される。
【００８０】
ステップＳ４の後、制御部１００は、所定電圧Ｖａを定着液Ｌに印加してから第１時間Ｔ１が経過したか否かを判断することで、ノズルＮの外周面に付着した定着液Ｌが除去されたか否かを判断する（Ｓ５）。ステップＳ５において第１時間Ｔ１が経過していないと判断した場合には（Ｎｏ）、制御部１００は、ステップＳ３の処理に戻って、液滴除去処理を継続する。ステップＳ５において第１時間Ｔ１が経過したと判断した場合には（Ｙｅｓ）、制御部１００は、ステップＳ６の処理に移行する。
【００８１】
ステップＳ１において印刷ジョブが入力されていないと判断した場合には（Ｎｏ）、制御部１００は、パージ処理を実行したか否かを判断する（Ｓ７）。ステップＳ７においてパージ処理を実行していないと判断した場合には（Ｎｏ）、制御部１００は、本制御を終了する。
【００８２】
ステップＳ７においてパージ処理を実行したと判断した場合には（Ｙｅｓ）、制御部１００は、パージ処理を実行したことを示すフラグＦを１にした後（Ｓ８）、液滴除去処理（Ｓ３，Ｓ４）を実行する。ステップＳ６では、制御部１００は、フラグＦが０であるか否かを判断することで、印刷ジョブの入力をきっかけにして液滴除去処理が実行されたか否かを判断する。
【００８３】
ステップＳ６においてＦ＝０であると判断した場合には（Ｙｅｓ）、印刷ジョブが入力されている場合であるため、制御部１００は、定着噴霧処理（Ｓ９〜Ｓ１１）に移行する。ステップＳ６においてＦ＝１であると判断した場合には（Ｎｏ）、印刷ジョブが入力されていない場合であるため、制御部１００は、定着噴霧処理（Ｓ９〜Ｓ１１）に移行することなく、フラグＦを０に戻して（Ｓ１３）、本制御を終了する。
【００８４】
ここで、フラグＦを０に戻す場合には、制御部１００は、液滴除去処理を終了すべく、例えば電圧の印加を停止させる。なお、液滴除去処理の終了後における圧力Ｐ、つまり待機時の圧力Ｐは、液滴除去処理時の第２圧力Ｐ２で維持してもよいし、第２圧力Ｐ２とは異なる圧力値としてもよい。
【００８５】
ステップＳ２において第３時間Ｔ３が経過していると判断した場合には（Ｙｅｓ）、前回の定着噴霧処理から十分長い時間が経過してノズルＮの外周面に付着した定着液Ｌが蒸発した状態であるため、制御部１００は、液滴除去処理（Ｓ３，Ｓ４）を実行することなく、定着噴霧処理（Ｓ９〜Ｓ１１）に移行する。
【００８６】
ステップＳ９では、制御部１００は、印刷データに基づいて第１定着ヘッド７１Ａに対応した画像に基づいて目標噴霧量ρを設定する。ステップＳ９の後、制御部１００は、第１定着ヘッド７１Ａ内の定着液Ｌに加える圧力Ｐを第２圧力Ｐ２から第１圧力Ｐ１に変更する（Ｓ１０）。詳しくは、制御部１００は、ステップＳ１０において、ポンプ７５Ａを作動させることで、圧力Ｐを第２圧力Ｐ２から第１圧力Ｐ１まで上昇させる。
【００８７】
ステップＳ１０の後、制御部１００は、目標噴霧量ρに基づいて第１電極７４に印加する電圧Ｖを設定し、当該電圧Ｖを第１電極７４に印加することで、第１定着ヘッド７１Ａから用紙ＳＨの画像に対して定着液Ｌの噴霧を行う定着噴霧処理を実行する（Ｓ１１）。ステップＳ１１の後、制御部１００は、定着噴霧処理が終了したか否かを判断する（Ｓ１２）。
【００８８】
ステップＳ１２において定着噴霧処理が終了していないと判断した場合には（Ｎｏ）、制御部１００は、ステップＳ１１の処理に戻って、定着噴霧処理を継続する。ステップＳ１２において定着噴霧処理が終了したと判断した場合には（Ｙｅｓ）、制御部１００は、電圧の印加を停止して、本制御を終了する。なお、定着噴霧処理の終了後における圧力Ｐは、液滴除去処理時の第２圧力Ｐ２まで下げてもよいし、第２圧力Ｐ２とは異なる圧力値まで下げてもよい。
【００８９】
次に、ノズルＮの外周面に付着した定着液Ｌが除去される様子を図６（ａ）〜（ｃ）を参照して説明する。
図６（ａ）に示すように、定着噴霧処理の終了後やパージ処理の後には、ノズルＮの先端部の外周面に液滴状の定着液Ｌが付着する場合がある。この場合に、液滴除去処理を行うことで、第１電極７４への電圧の印加によってノズルＮの先端部の外周面に付着した定着液Ｌ周りに電界が発生し、この電界の影響により、図６（ｂ）に示すように、定着液Ｌが飛散する。これにより、図６（ｃ）に示すように、ノズルＮの先端部の外周面に付着した定着液Ｌを良好に除去することができる。
【００９０】
なお、液滴除去処理においては、定着液Ｌに加える圧力Ｐを定着噴霧処理時の第１圧力Ｐ１よりも低い第２圧力Ｐ２にするので、ノズルＮの先端部に送られる定着液Ｌの量が少なくなる。これにより、液滴除去処理中において、ノズルＮの開口から定着液Ｌが外部に押し出されて外周面まで回り込んでしまうことが抑えられるので、ノズルＮの外周面の定着液Ｌの量が増幅することなく、ノズルＮの外周面から良好に定着液Ｌを除去することができる。
【００９１】
以上によれば、本実施形態において以下のような効果を得ることができる。
ノズルＮの外周面に定着液Ｌが付着した場合であっても、液滴除去処理を実行することで、ノズルＮの外周面に付着した定着液Ｌを取り除くことができるので、定着噴霧処理を開始する際に、迅速に安定した噴霧状態とすることができる。
【００９２】
前回の定着噴霧処理の終了から第３時間Ｔ３以上が経過した場合には、液滴除去処理を行わないので、電力消費を抑えることができる。
【００９３】
パージ処理の後に液滴除去処理を行うので、パージ処理においてノズルＮの外周面に付着した定着液Ｌを良好に除去することができる。
【００９４】
なお、本発明は前記実施形態に限定されることなく、以下に例示するように様々な形態で利用できる。以下の説明においては、前記実施形態と略同様の構造となる部材には同一の符号を付し、その説明は省略する。
【００９５】
前記実施形態では、ノズルＮの外周面に付着した定着液Ｌが除去されたか否かの判断を、第１時間Ｔ１が経過したか否かを判断することによって行ったが、本発明はこれに限定されず、第１電極７４に電流が流れていない状態が第２時間Ｔ２以上続いたか否かを判断することで行ってもよい。具体的には、図７に示すように、図５のフローチャートにおけるステップＳ５の代わりに新たなステップＳ２１を設けてもよい。
【００９６】
ステップＳ２１において、制御部１００は、第２電流センサＳＡから検出値が出力されてこない状態が第２時間Ｔ２以上続いているか否かを判断する。詳しくは、制御部１００は、ステップＳ４にて電圧Ｖを所定電圧Ｖａに設定したときに、カウンタによるカウントを開始し始め、カウンタのカウント数が第２時間Ｔ２に対応するカウント数になる前に第２電流センサＳＡから検出値を取得した場合には、カウンタを０にリセットする。そして、カウントのリセット後、制御部１００は、再度カウンタによるカウントを開始する。そして、制御部１００は、カウンタのカウント数が第２時間Ｔ２に対応するカウント数以上になった場合には、ステップＳ２１においてＹｅｓと判定する。
【００９７】
これによれば、第１電極７４に電流が流れていない状態が第２時間Ｔ２以上続いたか否かを判断することで、ノズルＮの外周面上の定着液Ｌの飛散が終了したか否かを精度良く判断することができる。なお、第２時間Ｔ２は、実験やシミュレーション等により適宜設定すればよい。
【００９８】
前記実施形態では、液滴除去処理を行うタイミングを、印字ジョブの入力から定着噴霧処理を開始するまでの間と、パージ処理の終了後に設定したが、本発明はこれに限定されず、定着噴霧処理を実行していないときであれば、どのようなタイミングであってもよい。例えば、液滴除去処理を、定着噴霧処理の終了後に行ってもよい。
【００９９】
前記実施形態では、液滴除去処理において、電圧Ｖを所定電圧Ｖａに維持したが、本発明はこれに限定されず、液滴除去処理において電圧の値を変動させてもよい。
【０１００】
前記実施形態では、第１電極７４を収容部７３の内部に配置したが、本発明はこれに限定されず、例えばノズルおよび収容部を金属等の導電性部材で形成して、ノズルまたは収容部に対して電圧を印加してもよい。なお、この場合には、電圧が印加されるノズルまたは収容部が、第１電極として機能する。また、この場合には、複数の導電性の収容部を互いに離間させたり、各収容部の間に絶縁性の部材を設けたりすることで、各収容部間での電荷の移動を遮断させるとよい。また、収容部を樹脂等の非導電性の部材で形成し、ノズルを金属等の導電性の部材で形成し、ノズルに電圧を印加するようにしてもよい。なお、この場合には、ノズルが第１電極として機能する。
【０１０１】
前記実施形態では、レーザプリンタ１に本発明を適用したが、本発明はこれに限定されず、その他の画像形成装置、例えば複写機や複合機などに本発明を適用してもよい。
【０１０２】
前記実施形態では、記録シートとして、厚紙、はがき、薄紙などの用紙ＳＨを例示したが、本発明はこれに限定されず、例えばＯＨＰシートであってもよい。
【０１０３】
前記実施形態では、収容部内の定着液に圧力を付与する圧力付与手段として、ポンプ７５Ａや減圧弁７５Ｂを有する加圧装置７５を例示したが、本発明はこれに限定されず、例えば、水頭差を利用して各ヘッド内の液体を加圧または減圧する装置などであってもよい。
【０１０４】
前記実施形態では、説明の便宜上、定着領域Ａ１〜Ａ５を収容部７３の下面と同じ形状・大きさ・位置としたが、本発明はこれに限定されず、定着領域は、収容部の下面よりも小さくてもよいし、大きくてもよい。つまり、定着領域は、用紙上における噴霧される定着液の前後方向および左右方向に幅によって定義すればよい。
【符号の説明】
【０１０５】
１      レーザプリンタ
７      定着装置
７１    定着ヘッド
７２    第２電極
７３    収容部
７４    第１電極
７５    加圧装置
１００  制御部
Ｌ      定着液
Ｎ      ノズル
ＳＨ    用紙
【図１】
0006668846.tif 000002
【図２】
0006668846.tif 000003
【図３】
0006668846.tif 000004
【図４】
0006668846.tif 000005
【図５】
0006668846.tif 000006
【図６】
0006668846.tif 000007
【図７】
0006668846.tif 000008